(57)【要約】【課題】必要に応じてフックを回転させることが可能で、不要時にはフックをケース内に収納できる物品吊下げ具を提供すること。【解決手段】下面が開口したケース１と、ケース１内に上下方向に沿って収納されたガイド筒２と、ガイド筒２に摺動及び回動可能に挿通されたフック部材３と、ケース１内に設置されたバネ材４と、ケース１を貫通し、押圧操作によってバネ材４をその付勢力に抗して変形させる操作軸５とを備え、フック部材３の下端にフックを設け、フック部材３の摺動に伴ってフック８がケース１の下面から出没し、バネ材４は、常態において前記フック部材３をフック８がケース１内に没した状態で保持可能であり、バネ材４が変形した時、フック部材３がガイド筒２内を下方へ摺動する。【選択図】図３
2007313226.tif 000002
【特許請求の範囲】
【請求項１】
下面が開口したケースと、該ケース内に上下方向に沿って収納されたガイド筒と、前記ガイド筒に摺動及び回動可能に挿通されたフック部材と、前記ケース内に設置されたバネ材と、前記ケースを貫通し、押圧操作によって前記バネ材をその付勢力に抗して変形させる操作軸とを備え、前記フック部材の下端にフックを設けると共に、フック部材の摺動に伴って前記フックが前記ケースの下面から出没し、前記バネ材は、常態において前記フック部材をフックが前記ケース内に没した状態で保持可能であり、前記バネ材が変形した時、前記フック部材が前記ガイド筒内を下方へ摺動することを特徴とした物品吊下げ具。
【請求項２】
前記バネ材が前記ガイド筒の上方に設置され、前記操作軸の一端が前記バネ材に接合されると共に、他端が前記ケースの外部に露出し、前記フック部材の上端に、該フック部材の直径より大径で、前記ガイド筒の内径よりも僅かに小径の大径部を装着し、前記ガイド筒の下端に、前記フック部のフックが前記ケースの下方へ突出した高さで前記大径部の落下を規制するストッパを設け、前記バネ材は、常態において前記ガイド筒の中心孔の上方へ張り出して、前記ガイド筒の上方にある大径部を前記ガイド筒の中心孔から外れた位置へ押圧する圧接片を有し、前記操作軸の他端を前記ケース内部へ向けて押圧した時、前記バネ材の圧接片は前記ガイド筒の中心孔の上方から後退する請求項１に記載の物品吊下げ具。
【請求項３】
前記バネ材の圧接片の表面に、前記大径部と係合する凹部を形成してある請求項２に記載の物品吊下げ具。
【発明の詳細な説明】
【技術分野】
【０００１】
本発明は、壁、柱、家具の側面等に取り付けて物品を吊り下げる物品吊下げ具に関する。
【背景技術】
【０００２】
壁、家具の側面等に取り付けたフックへ衣服、鞄のような物品を吊り下げることは通常行われている。
ところが、フックが常に同じ方向へ張り出していると、物品の形状や大きさによっては吊り下げ難い。また、使用していない時でも室内にフックが設置されているのは、通りすがりに引っかかって邪魔になるばかりか、見栄えもよくない。
【０００３】
さらに、従来、開き角度が９０度よりも小さい支持杆の枝杆部を、支持板に設けた第１連結具に回転可能に保持させ、支持杆の下端に第２連結具を介して吊下げ杆を回転可能に連結したテーブル掛バッグハンガーが知られている（特許文献１参照）。
しかし、このバッグハンガーは、テーブルや机の台板上面に引っ掛けて物品を吊り下げるものであって、垂直面に取り付けることはできない。
また、使用しない場合はテーブル等から取り外すものなので、吊下げ杆の方向を必要に応じて変えることができるとはいえ、壁等に恒久的に設置した吊り下げ具にこの技術を応用しただけでは、不要なフック部を体裁よく収納することはできなかった。
【０００４】
【特許文献１】登録実用新案第３０３２８３３号公報
【発明の開示】
【発明が解決しようとする課題】
【０００５】
本発明が解決しようとする課題は、必要に応じてフックを回転させることが可能で、不要時にはフックをケース内に収納できる物品吊下げ具を提供することにある。
【課題を解決するための手段】
【０００６】
本発明の物品吊下げ具は、下面が開口したケースと、該ケース内に上下方向に沿って収納されたガイド筒と、前記ガイド筒に摺動及び回動可能に挿通されたフック部材と、前記ケース内に設置されたバネ材と、前記ケースを貫通し、押圧操作によって前記バネ材をその付勢力に抗して変形させる操作軸とを備え、前記フック部材の下端にフックを設けると共に、フック部材の摺動に伴って前記フックが前記ケースの下面から出没し、前記バネ材は、常態において前記フック部材をフックが前記ケース内に没した状態で保持可能であり、前記バネ材が変形した時、前記フック部材が前記ガイド筒内を下方へ摺動する。
【０００７】
前記バネ材が前記ガイド筒の上方に設置され、前記操作軸の一端が前記バネ材に接合されると共に、他端が前記ケースの外部に露出し、前記フック部材の上端に、該フック部材の直径より大径で、前記ガイド筒の内径よりも僅かに小径の大径部を装着し、前記ガイド筒の下端に、前記フック部のフックが前記ケースの下方へ突出した高さで前記大径部の落下を規制するストッパを設け、前記バネ材は、常態において前記ガイド筒の中心孔の上方へ張り出して、前記ガイド筒の上方にある大径部を前記ガイド筒の中心孔から外れた位置へ押圧する圧接片を有し、前記操作軸の他端を前記ケース内部へ向けて押圧した時、前記バネ材の圧接片は前記ガイド筒の中心孔の上方から後退するようにできる。
前記バネ材の圧接片の表面に、前記大径部と係合する凹部を形成すると良い。
【発明の効果】
【０００８】
請求項１及び２に係る発明によれば、物品を吊り下げる場合は、操作軸を押圧操作するだけで、フックをケースから突出させると共に、フックを吊り下げやすい方向へ向けることが可能である。
一方、使用しない時は、フック部材を回動させて押し上げるだけで簡単にフックをケース内に収納できるので、体裁が良く、物や皮膚をフックに引っ掛ける心配が無い。
請求項３に係る発明によれば、ケース内に収納したフック部材を確実に保持することができる。
【発明を実施するための最良の形態】
【０００９】
以下、本発明の実施例を図面に基づいて詳細に説明する。
本発明の物品吊下げ具は、図２、図３及び図５に示すように、ケース１と、ケース１内に上下方向に沿って収納されたガイド筒２と、ガイド筒２に摺動及び回動可能に挿通されたフック部材３と、ガイド筒２の上端に臨んでケース１内に設置されたバネ材４と、一端がバネ材４に連絡され、他端がケース１の外部に露出した操作軸５とを備える。
ケース１は、下面が開口した直方体より成り、接着テープ、吸盤、ビス等を用いて、背面を壁、柱、家具等に固定できるようになっている。また、ケース１の高さはフック部材３の上下寸法よりも高く、ケース１の幅はフック部材３の奥行よりも広く形成され、内部にフック部材３を完全に収納することができる。
【００１０】
ガイド筒２は、ケース１内の一側寄りに設置され、ガイド筒２の下端にはパイオウ状のストッパ６が中心軸を共有するように取り付けられている。ストッパ６の内径はガイド筒２の内径よりも小さくしてある。
フック部材３は、垂直杆７の下端にフック８が形成されると共に、垂直杆７の上端に球状の大径部９が装着されて成る。フック８の先端は、物品や人体を傷つけることのないよう、滑らかな球状となっている。また、大径部９の直径は、ガイド筒２の内径よりも僅かに小さく、ストッパ６の内径よりも大きく形成されている。
そして、フック部材３の垂直杆７がガイド筒２及びストッパ６の中心孔に摺動自在に挿通され、フック部材３が上下動することにより、フック８がケース１の下面から出没するようになっている。
【００１１】
バネ材４は、ケース１の上端寄りにおいて、その幅方向のほぼ全長に亘って設置される。バネ材４は、ケース１の内面奥側に固定される固定片１０と、固定片１０の上端を前側下方に折り返した圧接片１１とを有する。圧接片１１の表面には、フック部材３の大径部９と係合できる断面弧状の凹部１２が幅方向に沿って形成されている。
そして、常態において、バネ材４の圧接片１１がガイド筒２の中心孔の上方へ張り出している。なお、圧接片１１の下端部をケース１の背面側へ向けて傾斜させ、ガイド片１３を形成してある。
【００１２】
操作軸５は、ガイド筒２の設置位置から側方へずれた位置において、ケース１の前壁を貫通して軸方向に摺動自在に設けられる。
また、操作軸５の一端はバネ材４の圧接片１１に接合され、操作軸５の他端はケース１の外部に露出している。操作軸５の他端には操作ボタン１４が装着されている（図１及び図４参照）。
従って、操作ボタン１４をケース１の内部に向かって押圧操作すると、操作軸５の一端がバネ材４の圧接片１１をケース１の背面側へ押し、圧接片１１はガイド筒２の中心孔の上方から後退する。
【００１３】
物品を吊り下げない時は、図１〜図３に示すように、フック部材３を、フック８がケース１の他側に向くよう回動させてから、上方へ押し上げる。すると、フック部材３の大径部９が、バネ材４のガイド片１３を押しのけながらガイド筒２の上方へ突出する。
この状態でフック部材３を解放すると、図３に示すように、バネ材４の凹部１２とフック部材３の大径部９とが係合し、圧接片１１が元の位置へ復帰して大径部９を前方へ押圧する。
この結果、大径部９はガイド筒２の中心孔から外れた位置へ押されて保持され、ガイド筒２内を落下できなくなる。この時、フック部材３は完全にケース１内に収納され、フック８は露出しない。
【００１４】
物品を吊り下げる際には、操作ボタン１４をケース１の内部に向けて押圧する。この結果、図５に示すように、操作軸５の一端に押されて、バネ材４の圧接片１１がガイド筒２の中心孔の上方から後退し、フック部材３の大径部９がガイド筒２の中心孔の上方へ移動する。
すると、自重によってフック部材３はガイド筒２の中心孔内を落下し、大径部９の落下がストッパ６の上端で規制されて停止する。この時、図４に示すように、フック部材３のフック８は、ケース１の下面から下方へ突出し、このフック８へ物品を吊り下げることができる。
また、フック部材３はガイド筒２及びストッパ６の内部で回動することができるので、フック８を任意の方向に向けることが可能である。
【図面の簡単な説明】
【００１５】
【図１】本発明の実施例を示す物品吊下げ具のフック収納状態における斜視図。
【図２】本発明の実施例を示す物品吊下げ具のフック収納状態における正断面図。
【図３】本発明の実施例を示す物品吊下げ具のフック収納状態における側断面図。
【図４】本発明の実施例を示す物品吊下げ具のフック突出状態における斜視図。
【図５】本発明の実施例を示す物品吊下げ具のフック突出状態における側断面図。
【符号の説明】
【００１６】
１  ケース
２  ガイド筒
３  フック部材
４  バネ材
５  操作軸
６  ストッパ
７  垂直杆
８  フック
９  大径部
１０  固定片
１１  圧接片
１２  凹部
１３  ガイド片
１４  操作ボタン
【図１】
2007313226.tif 000003
【図２】
2007313226.tif 000004
【図３】
2007313226.tif 000005
【図４】
2007313226.tif 000006
【図５】
2007313226.tif 000007